(57)【特許請求の範囲】
【請求項１】
床面を走行する車台に対し座椅子部を前後方向に起倒回動可能に具設した入浴用車椅子において、
前記座椅子部の起倒回動中心が、前記座椅子部及び前記座椅子部上に着座した入浴者の各重量の加算重量または入浴者の重量の重心または重心近傍に位置するよう設定され、
前記座椅子部または前記車台に設けられ、前後方向に延在配置される円弧曲面を有するガイドレールと、
前記車台または前記座椅子部に設けられ、前記ガイドレールの円弧曲面に当接して転動自在とされるガイドローラと、
前記座椅子部を前記車台に対して所定の前後各位置においてロックするロック機構と、
入浴介護者が握持する操作バーと、
該操作バーを両手で握持したまま前記ロック機構のロック作用を足踏み操作により解除自在とするロック解除ペダルと、を備えていることを特徴とする入浴用車椅子。
【請求項２】
床面を走行する車台に対し座椅子部を前後方向に起倒回動可能に具設した入浴用車椅子において、
前記座椅子部及び前記座椅子部上に着座した入浴者の各重量の加算重量または入浴者の重量の重心の位置変動を極力抑えながら前記座椅子部を円弧軌道上に沿って起倒回動させるように構成され、
前記座椅子部または前記車台に設けられ、前後方向に延在配置される円弧曲面を有するガイドレールと、
前記車台または前記座椅子部に設けられ、前記ガイドレールの円弧曲面に当接して転動自在とされるガイドローラと、
前記座椅子部を前記車台に対して所定の前後各位置においてロックするロック機構と、
入浴介護者が握持する操作バーと、
該操作バーを握持したまま前記ロック機構のロック作用を足踏み操作により解除自在とするロック解除ペダルと、を備えていることを特徴とする入浴用車椅子。
【請求項３】
請求項１または２記載の入浴用車椅子において、
少なくとも入浴者が着座する前記座椅子部の着座空間の左右周囲には前記座椅子部を起倒回動させる起倒回動手段の構成部材を配置しないようにしたことを特徴とする入浴用車椅子。
【請求項４】
請求項１乃至３のいずれか一項に記載の入浴用車椅子において、
前記座椅子部が有する座面部の左右側方にそれぞれ配設されたサイド手摺を、入浴者を前記座椅子部へ移乗させる際に移乗動作の妨げにならない位置まで旋回退避可能としたことを特徴とする入浴用車椅子。
【請求項５】
請求項１乃至４のいずれか一項に記載の入浴用車椅子を浴槽本体の開口部の方向から前記浴槽本体の内方所定位置にまで進入させた後に、前記入浴用車椅子を引き込み、前記開口部を前記座椅子部の上体支持部で水密に閉塞するロック手段を備えたことを特徴とする浴槽本体。
【発明の詳細な説明】
【技術分野】
【０００１】
本発明は、身体障害者や高齢者等の入浴者を着座状態で浴槽内へ移送して入浴に供する入浴用車椅子及び浴槽本体に関するものである。
【背景技術】
【０００２】
本出願人は、少量の力で容易に背凭部の傾動操作を行うことができ、入浴介護作業に係る労力の省力化が図れる入浴用車椅子に関して、例えば、下記特許文献１に記載の技術を既に創出し提案している。
【０００３】
特許文献１に記載の技術は、入浴介護者による背凭部５の傾動操作を支援する傾動支援手段４２を台車部３と背凭部５にわたって設け、傾動支援手段４２を背凭枠９に沿って所定区間を上下に摺動する摺動板１２と、一端及び他端がそれぞれ台車枠２及び摺動板１２に枢着され背凭部５の前後傾動に従動して摺動板１２を上下に移動操作する操作棒１４と、摺動板１２に対して略上下対称状に配設され一端及び他端がそれぞれ摺動板１２及び背凭枠９に係止された第一と第二の付勢部材１９・２４とから構成したものである。
【０００４】
上記の構成によれば、背凭部５が所定起立位置及び所定起立位置付近にある過程では、摺動板１２及び操作棒１４を介して引張られ伸長状態になされた第一の付勢部材１９の収縮方向への弾性力によって背凭部５が傾斜する方向へ付勢され、一方、背凭部５が所定傾斜位置及び所定傾斜位置付近にある過程では、摺動板１２及び操作棒１４に引張られ伸長状態になされた第二の付勢部材２４の収縮方向への弾性力によって背凭部５が起立する方向へ付勢される。（例えば、００３２〜００３８段落、図４〜５参照）
【特許文献１】特開２００６−２３９０２５号公報
【発明の開示】
【発明が解決しようとする課題】
【０００５】
上記傾動支援手段４２を設けることにより背凭部５を起倒回動操作する際の操作労力は幾分改善されたものの、背凭部５と、座席部６と、下肢支持部７の一体物（座椅子部）の重量に座椅子部上へ移乗した入浴者の重量を加算した重量（加算重量）の重心と、座椅子部の起倒回動中心とが離間した構造に設計されている為、座椅子部を前後方向に起倒回動操作する際の前記重心の位置変動が大きく、依然として相応の操作加重が必要となり、非力な女性等の入浴介護者にとってはその操作が負担となる状況が発生していた。
【０００６】
また、座椅子部の起倒回動に伴う上記加算重量の重心の位置変動が大きいが故に、入浴者の頭部の変動も大きくなり入浴者が不安感や恐怖感を感じ易いという問題点も有していた。
【０００７】
本発明はかかる諸問題点に鑑みてなされたもので、その目的とするところは、入浴者が着座した座椅子部の前後方向への起倒回動操作を入浴介護者がより少ない操作荷重で楽に行うことができるようにするともに、座椅子部の起倒回動による入浴者の頭部の変動を低減し入浴者の感じる不安感や恐怖感を緩和する入浴用車椅子及びこの入浴用車椅子とセットで用いられる浴槽本体を提供することにある。
【課題を解決するための手段】
【０００８】
上記目的を実現する為、請求項１記載の発明は、床面を走行する車台に対し座椅子部を前後方向に起倒回動可能に具設した入浴用車椅子において、前記座椅子部の起倒回動中心が、前記座椅子部及び前記座椅子部上に着座した入浴者の各重量の加算重量または入浴者の重量の重心または重心近傍に位置するよう設定され、前記座椅子部または前記車台に設けられ、前後方向に延在配置される円弧曲面を有するガイドレールと、前記車台または前記座椅子部に設けられ、前記ガイドレールの円弧曲面に当接して転動自在とされるガイドローラと、前記座椅子部を前記車台に対して所定の前後各位置においてロックするロック機構と、入浴介助者が握持する操作バーと、該操作バーを両手で握持したまま前記ロック機構のロック作用を足踏み操作により解除自在とするロック解除ペダルと、を備えていることを特徴とする。
【０００９】
請求項２記載の発明は、床面を走行する車台に対し座椅子部を前後方向に起倒回動可能に具設した入浴用車椅子において、前記座椅子部及び前記座椅子部上に着座した入浴者の各重量の加算重量または入浴者の重量の重心の位置変動を極力抑えながら前記座椅子部を円弧軌道上に沿って起倒回動させるように構成され、前記座椅子部または前記車台に設けられ、前後方向に延在配置される円弧曲面を有するガイドレールと、前記車台または前記座椅子部に設けられ、前記ガイドレールの円弧曲面に当接して転動自在とされるガイドローラと、前記座椅子部を前記車台に対して所定の前後各位置においてロックするロック機構と、入浴介助者が握持する操作バーと、該操作バーを握持したまま前記ロック機構のロック作用を足踏み操作により解除自在とするロック解除ペダルと、を備えていることを特徴とする。
【００１０】
請求項３記載の発明は、請求項１または２記載の入浴用車椅子において、少なくとも入浴者が着座する前記座椅子部の着座空間の左右周囲には前記座椅子部を起倒回動させる起倒回動手段の構成部材を配置しないようにしたことを特徴とする。
【００１１】
請求項４記載の発明は、請求項１乃至３のいずれか一項に記載の入浴用車椅子において、前記座椅子部が有する座面部の左右側方にそれぞれ配設されたサイド手摺を、入浴者を前記座椅子部へ移乗させる際に移乗動作の妨げにならない位置まで旋回退避可能としたことを特徴とする。
【００１２】
請求項５記載の発明は、請求項１乃至４のいずれか一項に記載の入浴用車椅子を浴槽本体の開口部の方向から前記浴槽本体の内方所定位置にまで進入させた後に、前記入浴用車椅子を引き込み、前記開口部を前記座椅子部の上体支持部で水密に閉塞するロック手段を備えたことを特徴とする浴槽本体である。
【発明の効果】
【００１３】
請求項１記載の発明によれば、車台に対して座椅子部を前方向に起立回動させたり、後方向に倒伏回動させる起倒回動操作に係る操作荷重を軽減でき、入浴介護者にとって一層座椅子部の起倒回動操作が行い易いものとなる。また、従来の座椅子部の起倒回動操作を支援する支援手段（付勢部材等）を設ける必要がない為、座椅子部の起倒回動に係る構成を簡素化でき従来の入浴車椅子に比してもコストアップとならず、また、入浴用車椅子全体の重量を低減することも可能となる。
【００１４】
また、ロック機構により所定の前方位置または後方位置においてロックされている座椅子部のロック作用を、操作バーを両手で握持したままロック解除ペダルを足踏み操作するという極めて簡単な操作により容易に解除することが可能となる。
【００１５】
請求項２記載の発明によれば、従来の入浴用車椅子の構造に比して座椅子部の前後方向への起倒回動による座椅子部及び入浴者の各重量の加算重量の重心、または入浴者の重量の重心の位置変動を抑えることができるので、座椅子部の起倒回動による入浴者の頭部変動を低減することができ、入浴者の感じる不安感や恐怖感を和らげることが可能となる。また、ロック機構により所定の前方位置または後方位置においてロックされている座椅子部のロック作用を、操作バーを両手で握持したままロック解除ペダルを足踏み操作するという極めて簡単な操作により容易に解除することが可能となる。
【００１６】
また、座椅子部を後方へ倒伏回動させたときに座椅子部の車台に対しての後方への食み出し量を従来の入浴用車椅子と比べて減少させることができ、故に、車台と座椅子部との位置バランスが良好となり、入浴用車椅子の安定性が向上し転倒可能性を抑止できる。
【００１７】
請求項３記載の発明によれば、入浴者が着座する座椅子部の着座空間の左右周囲には座椅子部を起倒回動させる起倒回動手段の構成部材を配置しないようにした為、当該部材が入浴者の座椅子部上への移乗動作及び着座動作の際の妨げになることはない。
【００１８】
請求項４記載の発明によれば、座椅子部が有する座面部の左右側方にそれぞれ配設されたサイド手摺を、入浴者を座椅子部へ移乗させる際に移乗動作の妨げにならない位置まで旋回退避可能である為、座椅子部左右のいずれの側からも移乗動作が一層行い易いものとなる。
【００１９】
請求項５記載の発明によれば、入浴用車椅子と浴槽本体のセットで入浴者を入退浴させることが可能となる。
【発明を実施するための最良の形態】
【００２０】
以下、図１乃至１０を参照しつつ本発明に係る一実施形態について説明する。図１は座椅子部４を倒伏回動させた状態の入浴用車椅子１を示す正面図、図２は同平面図、図３は同背面図、図４は図３におけるＡ−Ａ線で入浴用車椅子１の一部を切断した部分側面断面図、図５は図３におけるＢ−Ｂ線で入浴用車椅子１の一部を切断した部分側面断面図、図６は図３におけるＣ−Ｃ線で切断した拡大平面断面図、図７は、入浴用車椅子の起倒回動に伴う座椅子部及び座椅子部上に着座した入浴者の各重量の加算重量の重心の位置変動を説明する模式図であって、（ａ）は従来の入浴用車椅子を示す模式図、（ｂ）は本発明に係る入浴用車椅子１を示す模式図、図８はサイド手摺を旋回退避させる構造を説明するための斜視図である。図９は入浴用車椅子１とセットで用いられる浴槽本体３６の平面断面図、図１０はロック手段３８の作動状態を説明する部分拡大断面図である。尚、各図面において同一または同等の構成要素には、同一の符号を付している。
【００２１】
入浴用車椅子１は、前後左右の四隅にそれぞれキャスターが配設され床面を走行可能な車台２と、車台２に対して前後方向に起倒回動可能に具設された座椅子部４とから構成されている。以下の説明においては、図４中、実線で示す後方向まで座椅子部４を倒伏回動させた状態の位置を所定後方位置、同図中、一点鎖線で示す前方向まで座椅子部４を起立回動させた状態の位置を所定前方位置とそれぞれ称呼することとする。
【００２２】
車台２は図６に示すように、左右に所定間隔を有して平行配置され前後に延在する左棒材３ａと右棒材３ｂと、両棒材３ａ・３ｂの間であって両棒材３ａ・３ｂに対して前後に所定間隔を有して横架される前棒材３ｃと後棒材３ｄとを有する車台枠３等から構成される。
【００２３】
図２に示すように車台２上に具設される座椅子部４は、正面視略長方形状とされ正面（前面）側中央部において上下に延在する入浴者の上体支持面５ａを有する上体支持部５と、上体支持面５ａの下面近傍に上体支持部５に対して後方部が固着されるとともに上体支持面５ａに対して略直交状に前方へ延出する座面部６と、座面部６の前方部に連結され入浴者の下腿を受ける面を有する下腿受け部７と、下腿受け部７から前方へ突出し略Ｕ字状パイプ３４に取着される足載せ部８とを有しており、これらより着座空間が形成される。
【００２４】
また、図２に示すように座面部６の左右側方の位置にはそれぞれ入浴者が握持可能なサイド手摺５０が前後方向に延在するように平行に配設されている。各サイド手摺５０は、図５、８に示すように側面視略口形状のパイプフレーム５１等より構成されて、上体支持部５側に位置する垂直パイプ部５１ａは下方向に延出し、この延出パイプ部分５１ａａが座面部６のフレームに固定片５５を介して止着された保持パイプ５２に内嵌挿通されている。
【００２５】
図８に示すように、保持パイプ５２のパイプ周面の一部分には、周面に沿う横方向に切欠いて形成される横溝５３ａと、この横溝５３ａの各端部から周面に沿う縦方向に切欠いて形成されるパイプ上方から下方にかけて緩やかに幅狭となるテーパ状の一方縦溝５３ｂ及び他方縦溝５３ｃとからなる周溝５３が刻設されている。また、延出パイプ部分５１ａａ周面にはパイプ径方向に突出する突出ボルト５４が設けられており、この突出ボルト５４の頭部は一方縦溝５３ｂ及び他方縦溝５３ｃのいずれかの溝に嵌り込み係合するとともに、横溝５３ａ内を移動可能な径寸法とされている。
【００２６】
従って、サイド手摺５０を垂直パイプ部５１ａの延在方向に持ち上げ、突出ボルト５４頭部を一方縦溝５３ｂまたは他方縦溝５３ｃから抜脱すると、頭部が横溝５３ａ内を移動可能となる結果、サイド手摺５０が保持パイプ５２に対して旋回可能となり、逆に頭部が横溝５３ａの各端部に突き当たるとサイド手摺５０の旋回が規制され、この状態でサイド手摺５０を持ち下げると一方縦溝５３ｂまたは他方縦溝５３ｃに頭部が嵌り込み、サイド手摺５０が固定されることになる。図８は、図２において実線で示す右側のサイド手摺５０の固定状態を示すものである。
【００２７】
尚、サイド手摺５０は、前後方向に延在する位置（図２中、実線で示すサイド手摺５０の位置）から座面部６の側方に１３０°の角度だけ旋回し固定可能となるように、周溝５３が切欠かれている。図５中、５６は入浴者の肘が置かれるパイプ部分に嵌着される肘置きパッドである。
【００２８】
図１、２に示すように、上体支持部５には上体支持面５ａの左右側から下側にかけて上体支持面５ａより低くなるよう段差を設けて面一の連続面を有する平坦面５ｂが形成されている。この平坦面５ｂは、図９に示す浴槽本体３６の一側方に形成される開口部３７の方向から図４に示す座椅子部４を所定後方位置へ倒伏回動した状態の入浴用車椅子１を内方所定位置にまで進入させた際に、開口部３７の周縁面３７ａに対向する位置となるように形成されている（図１０参照）。
【００２９】
図９、１０に示すように浴槽本体３６左右の各側には入浴用車椅子１を開口部３７側に引き込み開口部３７を上体支持部５で水密に閉塞するロック手段３８が配設されている。左右の各側に配設されるロック手段３８の構成は互いに同一であるので、以下、図９中、開口部３７方向を正面とし、その方向から見て右側の構成を例にとって説明する。
【００３０】
浴槽フレーム４０に溶着された平面視略直角三角形状の支持板４１にアクチュエータ４２のシリンダ４２ａ底部側が軸支されるとともに、ロッド４２ｂ先端は浴槽フレーム４０に溶着され開口部３７方向に向かって屈曲延出する突板４３先端部において中途位置が回動軸４５にて回動自在に軸着された略Ｓ字状のフック部材３９の一方端部に軸着されており、このロッド４２ｂの伸長・収縮動作によりフック部材３９が水平方向に回転する。図１０に示すように周縁面３７ａから浴槽本体３６の外方に向かって突出形成される突縁４６の内側面４６ａにはフック部材３９の通過孔４７が形成されている。
【００３１】
ロック手段３８は、上述したアクチュエータ４２とフック部材３９とで構成されている。入浴用車椅子１を浴槽本体３６の内方所定位置に進入させた後、ロッド４２ｂを伸長すると、フック部材３９が図１０の一点鎖線で示す如く通過孔４７を通過し、先端ローラ５７が上体支持部５後面に設けられる金属板３５に当接押圧され上体支持部５が周縁面３７ａ方向に引き込まれ、平坦面５ｂが周縁面３７ａに対して圧接固定される。これによって、開口部３７が上体支持部５で水密に閉塞される。上体支持部５は浴槽本体３６の開口部３７を開閉するとともに水密に閉塞可能な浴槽扉と同等の作用効果を奏するものである。
【００３２】
尚、図９中、４４は周縁面３７ａに沿って貼着され、周縁面３７ａと入浴用車椅子１の平坦面５ｂとの間を水密にシールするシールパッキン、また、図１０中、４８はフック部材３９を回動しロック手段３８を機能させる際に上体支持部５の金属板３５とフック部材３９の間への異物の接近をガードするカバー部材である。
【００３３】
次に、座椅子部４を前後方向に起倒回動可能とする起倒回動手段の構成について説明する。図６において、前棒材３ｃと後棒材３ｄの間であって、両棒材には左棒材３ａ・右棒材３ｂに平行して二枚一組の挟持板１０が掛け渡され、三個一組の鍔付きのガイドローラ９がこの二枚の挟持板１０で転動自在に挟持固定されている。二枚一組の挟持板１０は車台枠３の左右方向に互いに所定間隔をあけて計二箇所位置に設けられている。
【００３４】
図３、４に示すように上体支持部５の下面５ｃの左右位置には、各位置に一方辺１１ａ端側が上体支持部５に固着されるとともに他方辺１１ｂが座椅子部４の前方向へ延出するように形成された断面視略逆Ｌ字状の曲折片とされるガイドレール１１が配設されている。ガイドレール１１の他方辺１１ｂは断面視で中心１２を円弧中心とする円弧曲面に曲折成形されており、座椅子部４は中心１２（以下、起倒回動中心１２という）を中心として起倒回動する（図４参照）。
【００３５】
図４に示すように、前述した三個のガイドローラ９は、挟持板１０側面の最上方に位置する一つのガイドローラ９のローラ面がガイドレール１１の上側円弧面（円弧半径の小さい円弧面）に当接するよう嵌合配置されるとともに、残り２個のガイドローラ９のローラ面が下側円弧面（円弧半径の大きい円弧面）に当接するよう嵌合配置されていて、各ガイドレール１１の回動は三個のガイドローラ９によって支持案内される。また、図６に示すように、左右のガイドレール１１は他方辺１１ｂ先端部においてパイプ状部材１３を介して連結されている。
【００３６】
前述した起倒回動中心１２（図４参照）は、座椅子部４の重量に座椅子部４上に着座した入浴者の重量を加算した重量（以下、加算重量という）の重心の近傍に位置するよう設定されている。起倒回動中心１２を加算重量の重心に一致させればなお好適である。
【００３７】
次に、座椅子部４を所定前方位置と所定後方位置の各位置においてロックするロック機構１４と、このロック機構１４によるロック作用を解除自在とするロック解除手段１５に係る構成について説明する。図３、５、６に示すように上体支持部５の下面５ｃの左右中央位置において一方辺１６ａ端部が上体支持部５に固着されるとともに他方辺１６ｂがガイドレール１１と同心円弧状に曲折成形され、全体形状が側面視略逆Ｌ字状に形成される曲折片１６がガイドレール１１と同方向に延在するように設けられている。
【００３８】
図５に示すように、曲折片１６の他方辺１６ｂには、他方辺１６ｂの左右側面を貫通してガイドレール１１と同心円弧状に刻設された円弧状ガイド溝１７ａと、円弧状ガイド溝１７ａに連通しその両端部からそれぞれ円弧半径の大きい円弧状ガイド溝１７ａ周面の径外方向に向かって屈曲して刻設されたガイド溝とから構成されるガイド溝１７が形成されている。以下、図５中、前方側に位置するガイド溝を前側ガイド溝１７ｂ、後方側に位置するガイド溝を後側ガイド溝１７ｃと称呼する。
【００３９】
図５、６に示すようにガイド溝１７には左右方向に延びるロック棒２０が挿通されていて、ロック棒２０の左右端部は後棒材３ｄの後方側に設けられるロック解除ペダル１８の各ペダルレバー１９前端と連結されている。ペダルレバー１９は側面視で略へ字形状（図５参照）とされ、その屈曲位置において後棒材３ｄに後端側が固着されたブラケット２１に対して揺動可能に揺動軸２３にて軸支されるとともに、揺動軸２３位置より後方において一端側がブラケット２１の上方凸部２１ａに設けられたバネ掛けピン３０に係着され、他端側がペダルレバー１９に設けられたバネ掛けピン３０に係着された引張コイルバネ２２の引張力によってロック解除ペダル１８が上方へ揺動するよう付勢されている（図５参照）。
【００４０】
後側ガイド溝１７ｃは、図５に示す座椅子部４が所定後方位置にあるとき、引張コイルバネ２２の引張力によってロック棒２０が後側ガイド溝１７ｃに嵌合するように揺動軸２３を円中心とする円弧上に沿って刻設されている。ロック棒２０が後側ガイド溝１７ｃに嵌合することによって、ガイドレール１１の回動が規制され、座椅子部４が所定後方位置においてロックされ前方向への起立回動が規制される。
【００４１】
一方、前側ガイド溝１７ｂも後側ガイド溝１７ｃと同様に揺動軸２３を円中心とする円弧上に沿って刻設されており、図示は省略するが、座椅子部４が所定前方位置にあるときは、ロック棒２０が前側ガイド溝１７ｂに嵌合する。ロック棒２０が前側ガイド溝１７ｂに嵌合することにより座椅子部４が所定前方位置においてロックされ、座椅子部４の後方向への倒伏回動が規制される。
【００４２】
前述した曲折片１６に形成される前側・後側ガイド溝１７ｂ・１７ｃと、ロック棒２０とによりロック機構１４が構成される。左右ガイドレール１１の起倒回動を車台２の左右中央位置に一箇所だけ配置したロック機構１４でロックする構成としたことにより、ガイドレール１１の起倒回動、即ち、座椅子部４の起倒回動を確実に規制でき、所定前方位置と所定後方位置の各位置において座椅子部４をロックすることが可能となる。
【００４３】
図５、６に示すように、後棒材３ｄの左右位置に配設されるブラケット２１の床面方向へ突出状に形成される下方凸部２１ｂ間には連結棒２４が掛け渡され、この連結棒２４はロック解除ペダル１８を踏み込んだ際にペダルレバー１９に当接し、ペダルレバー１９の下方への更なる揺動を規制するものである。各ぺダルレバー１９の内側面には、ロック解除ペダル１８の踏み込み動作を止めた際に引張コイルバネ２２の復元力により増勢されたペダルレバー１９が後棒材３ｄへ勢い良く衝突することを緩和する弾性ゴム等よりなるレバーストッパー４９が配設されている（図３、６参照）。
【００４４】
図５において、引張コイルバネ２２の引張力に抗してロック解除ペダル１８を踏み込むと、同図中、一点鎖線で示す方向へペダルレバー１９が揺動軸２３を支点として揺動する結果、ロック棒２０が後側ガイド溝１７ｃから抜け出て円弧状ガイド溝１７ａ端部に臨むこととなり、ガイドレール１１の回動規制が解除され、座椅子部４の前方向への起立回動が許容される。
【００４５】
図３中、２９は上体支持部５後面の上方位置に水平に延在して設けられた入浴用車椅子１を走行させる際や座椅子部４の起倒回動操作する際に入浴介護者が握持する操作バーである。図６中、２６は内側の挟持板１０上面に固着され上体支持部５が所定後方位置まで倒伏回動した際に上体支持部５の下面５ｃ（図４参照）に設けられる取付板２５（図３参照）に螺着された弾性ゴムを有する不図示の回動ストッパーを受け止める板状のストッパー受けであり、２７は内側の各挟持板１０の前方内側面に設けられた取付板３２（図１参照）に上体支持部５が所定前方位置まで起立回動した際にパイプ状部材１３の端部寄り部分を受け止める弾性ゴム３３が螺着されたパイプ状部材受けである。また、図５中、２８は、前側二箇所位置が前棒材３ｃに螺着されるとともに前棒材３ｃに嵌合され、後側二箇所位置が後棒材３ｄに嵌合された前述の起倒回動手段やロック機構等の各種構成部材を隠すための隠しカバーである。
【００４６】
次に、入浴用車椅子１の使用方法について説明する。入浴介護者は、不図示の車椅子等の搬送機器に乗座され入浴用車椅子１の近傍まで搬送されてきた入浴者を、所定前方位置においてロックされている座椅子部４上へ移乗させる。この際、入浴者が着座する座椅子部４の着座空間の左右周囲には上述した座椅子部４の起倒回動手段の構成部材が一切配置されない構成である為、入浴者の移乗動作の妨げになることはない。
【００４７】
また、左右いずれか一側方のサイド手摺５０を持ち上げ座面部６の側方へ旋回し退避させる（例えば、図２における右側のサイド手摺５０を一点鎖線で示す位置まで旋回退避させる）ことで、座椅子部４側方に入浴者の移乗空間が形成確保されることになり、この空間を利用して座椅子部４への移乗動作が行える。旋回退避されたサイド手摺５０のパイプフレーム５１部分を適宜握持しながら移乗動作を行うことにより、入浴者の転倒防止も図れる。
【００４８】
上体支持面５ａ側に設けられる不図示の上体固定ベルトを入浴者に巻き付け、入浴者の上体を上体支持部５へ固定する。その後、操作バー２９を握持したまま片足をロック解除ペダル１８上面へ乗せて、力を入れて踏み込む。
【００４９】
ロック解除ペダル１８を踏み込むと、ロック棒２０が前側ガイド溝１７ｂから抜け出て円弧状ガイド溝１７ａに臨むので、そのまま座椅子部４を後方向へ倒伏回動させる。従来の入浴用車椅子においては、図７（ａ）に示すように、座椅子部の起倒回動中心３１が車台に設定される構造上、座椅子部の起倒回動中心３１と加算重量の重心Ｍ１との距離が大きく離れ、座椅子部を後方向へ倒伏回動させる際の重心Ｍ１の位置変動が大きくなってしまうが、本発明に係る入浴用車椅子１では、図７（ｂ）に示すように起倒回動中心１２を加算重量の重心Ｍ２の近傍位置に設定することにより両心間距離を縮減させている為、従来の入浴用車椅子と同一角度まで座椅子部４を倒伏回動させる際の重心Ｍ２の位置変動を抑えることが可能となっている。
【００５０】
上体支持部５の下面５ｃに設けられる不図示の前記回動ストッパーがストッパー受け２６に当接する位置まで座椅子部４を倒伏回動させた後、引張コイルバネ２２の引張力によりロック棒２０が後側ガイド溝１７ｃに自動的に嵌入しロック機構１４が作用しロックがかかる。
【００５１】
所定後方位置においてロックされている座椅子部４を起立回動させる場合は、操作バー２９を握持し、ロック解除ペダル１８を踏んで、ロック棒２０を後側ガイド溝１７ｃから抜き出し、座椅子部４を前方向へ押し遣る。この場合においても従来の入浴用車椅子と比して重心Ｍ２の位置変動が少ない（図７（ｂ）参照）為、座椅子部４を起立回動させる入浴介護者の操作加重は軽減される。所定前方位置まで起立回動させると、引張コイルバネ２２の引張力によりロック棒２０が前側ガイド溝１７ｂに自動的に嵌入しロックがかかる。
【００５２】
従って、上記構成によれば、座椅子部４を前後方向に起倒回動させる際の入浴介護者の操作荷重を軽減でき、非力な女性等の入浴介護者が座椅子部４の起倒回動操作を極めて行い易いものとなる。加えて、座椅子部４の起倒回動に伴う入浴者の頭部変動を低減することができるため、入浴者の感じる不安感や恐怖感を緩和でき、より一層リラックスした状態で入浴させることが可能となる。
【００５３】
また、図７（ａ）に示す従来の入浴用車椅子の構成にあっては、座椅子部を所定の後方位置まで倒伏回動させると、重心Ｍ１が起倒回動中心３１を円弧中心とする円弧上に沿って大きく後方向へ変動し、且つ座椅子部の上体支持部の部分が車台の後方へ大きく食み出すことになり、その結果として車台に対する座椅子部の位置バランスが不安定な状態となり、入浴用車椅子の転倒の可能性が危惧される。座椅子部を所定の後方位置まで倒伏回動させた状態の位置バランスを安定化しようとすれば、車台（車台枠）の寸法を後方向に更に増長する必要等が生じ、車台が大型化してしまうという欠点がある。
【００５４】
本発明の構成によれば、図７（ｂ）に示す如く座椅子部４を後方へ倒伏回動させるときに重心Ｍ２の位置変動が少なく、しかも車台２に対して座椅子部４が後方へ大きく食み出さない為に車台２と座席部４の位置バランスが良好となり、入浴用車椅子１の安定性が向上し転倒可能性を抑止することができる。また、入浴用車椅子１の安定性を向上させる為に車台を大型化する必要もない。
【００５５】
尚、本発明は上述した実施形態に限定されることなく、本発明の趣旨を逸脱しない範囲において種々の構成を採ることができることはいうまでもない。上述の実施形態では円弧曲面を有するガイドレール１１を上体支持部５の下方から前方にかけて延在するように固定し、このガイドレール１１を車台枠３に転動自在に軸支して設けたガイドローラ９に沿わせて回動させることにより座椅子部４を前後方向に起倒回動させる構成を説明したが、例えば、図示及び詳細な説明は省略するが、円弧曲面を有するガイドレールを車台枠の左右位置に固定して設け、このガイドレールに沿って転動可能な複数のガイドローラを上体支持部の下方に配設することにより座椅子部が起倒回動できる構成としてもよい。
【００５６】
また、上述の実施形態では座椅子部４の起倒回動中心１２を、座椅子部４の重量に座椅子部４上に着座した入浴者の重量を加算した重量（加算重量）の重心近傍または重心に位置するよう設定する例を説明したが、本発明はこれに限定されることなく、例えば、座椅子部上に着座した入浴者の重量の重心またはその重心近傍に起倒回動中心が位置するように設定する構成も含まれるものであり、この構成を採用しても本発明の奏する効果を充分に得ることができる。
【産業上の利用可能性】
【００５７】
本発明は、身体障害者や高齢者等の入浴者を着座状態で浴槽内へ移送して入浴に供する入浴用車椅子への利用が期待できる。
【図面の簡単な説明】
【００５８】
【図１】本発明の一実施形態に係る座椅子部を倒伏回動させた状態の入浴用車椅子を示す正面図である。
【図２】本発明の一実施形態に係る入浴用車椅子の平面図である。
【図３】本発明の一実施形態に係る入浴用車椅子の背面図である。
【図４】図３におけるＡ−Ａ線で入浴用車椅子の一部を切断した部分側面断面図である。
【図５】図３におけるＢ−Ｂ線で入浴用車椅子の一部を切断した部分側面断面図である。
【図６】図３におけるＣ−Ｃ線で切断した拡大平面断面図である。
【図７】入浴用車椅子の起倒回動に伴う座椅子部及び座椅子部上に着座した入浴者の各重量の加算重量の重心の位置変動を説明する模式図であって、（ａ）は従来の入浴用車椅子を示す模式図、（ｂ）は本発明に係る入浴用車椅子を示す模式図である。
【図８】サイド手摺を旋回退避させる構造を説明するための斜視図である。
【図９】本発明の入浴用車椅子とセットで用いられる浴槽本体の平面断面図である。
【図１０】ロック手段の作動状態を説明する部分拡大断面図である。
【符号の説明】
【００５９】
１    入浴用車椅子
２    車台
４    座椅子部
９    ガイドローラ
１０    挟持板
１１    ガイドレール
１２    中心（起倒回動中心）
１４    ロック機構
１５    ロック解除手段
１６    曲折片
１６ａ  一方辺
１６ｂ  他方辺
１７    ガイド溝
１７ａ  円弧状ガイド溝
１７ｂ  前側ガイド溝
１７ｃ  後側ガイド溝
１８    ロック解除ペダル
５０    サイド手摺
５２    保持パイプ
５３    周溝
５３ａ  横溝
５３ｂ  一方縦溝
５３ｃ  他方縦溝
【図１】
0005066418.tif 000002
【図２】
0005066418.tif 000003
【図３】
0005066418.tif 000004
【図４】
0005066418.tif 000005
【図５】
0005066418.tif 000006
【図６】
0005066418.tif 000007
【図７】
0005066418.tif 000008
【図８】
0005066418.tif 000009
【図９】
0005066418.tif 000010
【図１０】
0005066418.tif 000011